(57)【特許請求の範囲】
【請求項１】
灯体と；
この灯体に配置され、発光ダイオード素子からなる光源と；
前記発光ダイオードの明るさを外部より操作される位相制御によって階調毎に変化させる階調制御が可能なもので、接続された定電流電源ラインに流れる階調電流を取り込み、該階調電流から定電圧源を発生させて得た電流によって前記発光ダイオードを発光させるとともに、外部の操作により位相制御で可変される電流を検出し、検出結果に基づき前記発光ダイオードの発光階調信号に変換し、該発光階調信号に基づき前記発光ダイオードによる発光を階調毎に駆動制御する駆動回路部と；
を具備したことを特徴とする航空標識灯。
【請求項２】
前記駆動回路部は、
前記定電流電源ラインに流れる階調電流を元に前記発光ダイオードに付勢する定電圧を生成する定電圧回路と；
該定電圧回路により生成された定電圧に基づき得られた発光ダイオード電流によって前記発光ダイオードを発光させるＬＥＤ駆動回路と；
前記定電流電源ラインに流れる階調電流を取り込み、外部の操作により位相制御で可変される前記階調電流を検出し、検出結果を出力する電流検出回路と；
前記電流検出回路からの検出結果に基づき、前記位相制御による階調に応じた前記発光ダイオードの発光階調信号に変換し、該発光階調信号に基づき前記ＬＥＤ駆動回路による発光ダイオードの発光を駆動制御する階調変換回路と；を具備して構成されたことを特徴とする請求項１に記載の航空標識灯。
【請求項３】
前記階調変換回路は、発光ダイオード電流の波高値に対応した前記発光階調信号を出力するもので、前記ＬＥＤ駆動回路は、可変抵抗を備え、該発光階調信号に基づき可変抵抗による抵抗値を変化させることにより、前記発光ダイオードの発光を階調制御することを特徴とする請求項２に記載の航空標識灯。
【請求項４】
前記階調変換回路は、前記発光階調信号として前記発光ダイオードの点滅の比率変調とするパルス幅制御信号を出力するもので、前記ＬＥＤ駆動回路は、前記発光ダイオード電流の供給を時間的にオン・オフするスイッチング素子を備え、前記パルス幅信号に基づき該スイッチング手段によるオン・オフ時間を制御することにより、前記発光ダイオードの発光を階調制御することを特徴とする請求項２に記載の航空標識灯。
【請求項５】
前記駆動回路部は、
前記定電流電源ラインに流れる階調電流を元に前記発光ダイオードに付勢する定電圧を生成する定電圧回路と；
該定電圧回路により生成された定電圧に基づき得られた発光ダイオード電流によって前記発光ダイオードを発光させるＬＥＤ駆動回路と；
前記定電流電源ラインに流れる階調電流を取り込み、外部の操作により位相制御で可変される前記階調電流を検出し、検出結果を出力する電流検出回路と；
前記電流検出回路からの検出結果に基づき、前記位相制御による階調に応じた前記発光ダイオードの発光階調信号に変換し、該発光階調信号に基づき前記ＬＥＤ駆動回路による発光ダイオードの発光を駆動制御する階調変換回路と；
前記発光ダイオードの温度または周囲温度を検出する温度検出回路と；
前記該温度検出手段からの検出結果に基づき所定の発光出力を得るための補正信号を作成し、該補正信号に応じて前記ＬＥＤ駆動回路による発光ダイオード電流を変化させる補正回路と；を具備して構成されたことを特徴とする請求項１に記載の航空標識灯。
【請求項６】
前記階調変換回路は、前記発光階調信号として前記発光ダイオードの点滅の比率変調とするパルス幅制御信号を出力するもので、前記ＬＥＤ駆動回路は、前記発光ダイオード電流の供給を時間的にオン・オフするスイッチング素子及び可変抵抗を備え、前記パルス幅信号に基づき該スイッチング手段によるオン・オフ時間を制御すると同時に、前記補正回路からの補正信号に応じて前記可変抵抗の抵抗値を変化させることにより、前記発光ダイオードの発光の階調制御及び温度の変化に伴う発光補正制御することを特徴とする請求項５に記載の航空標識灯。
【請求項７】
前記温度検出回路は、前記複数の発光ダイオードを整列させるための整列板が設けられた場合には、該整列板の温度を検出し、検出結果を出力することを特徴とする請求項５に記載の航空標識灯。
【請求項８】
前記光源が少なくとも２つの点滅制御可能な光源で構成された場合には、前記駆動回路部は、前記発光階調信号としての前記発光ダイオードの点滅の比率変調とするパルス幅制御信号と、前記少なくとも２つの光源を点滅制御するための点滅信号との論理積をとり、該論理積に基づき、各光源毎に発光ダイオード群が抵抗を介して直列に接続して成る直列回路の電流供給をオン・オフするスイッチング素子のオン・オフ時間を制御することにより、前記発光ダイオードによる発光の階調制御及び点滅発光制御することを特徴とする請求項１に記載の航空標識灯。
【請求項９】
前記少なくとも２つの光源は、黄色の光を発光する黄色発光ダイオードを用いてそれぞれ構成されたものであることを特徴とする請求項８に記載の航空標識灯。
【発明の詳細な説明】
【０００１】
【発明の属する技術分野】
本発明は、空港の滑走路や誘導路等に用いられる航空標識灯に関し、特に光源の長寿命化及び発光効率の向上化を図ることができるとともに、その発光状態を最適に制御することの可能な航空標識灯に関する。
【０００２】
【従来の技術】
一般に、空港の滑走路や誘導路等に用いられる航空標識灯では、滑走路への誘導や離着時の誘導、あるいは侵入経路への誘導等を、厳しい気象条件でもその明かりによって明確且つ確実に飛行機の操縦者に認識させるために、発光効率の向上が望まれている。また、航空標識灯では、過酷な使用条件でも耐えうる耐久性はもとより、その光源の長寿命化も望まれている。
【０００３】
通常、このような航空標識灯は、その目的に応じて様々な形態のものが製造されており、また、これらの標識灯の光源としては、従来より調光制御が容易な白熱電球が用いられている。このような従来における白熱電球を用いた光源で構成された航空標識灯の一例を図１３に示す。
【０００４】
図１３は従来の白熱電球を用いた光源で構成された地上型の航空標識灯の一例を示す構成図であり、図１３（ａ）は光を全方向に照射可能な全方向タイプのもの、図１３（ｂ）は光を１方向または２個併設することで２方向に光を照射可能な２方向タイプのもの、図１３（ｃ）は誘導時に警戒を促すことを主に目的とした点滅タイプのものをそれぞれ示している。
【０００５】
順に説明すると、図１３（ａ）に示すように全方向タイプの航空標識灯５０は、滑走路等の誘導灯として用いられており、例えば青い色を全方向に照射することにより、誘導路灯としての役割を果たすようになっている。
【０００６】
該航空標識灯５０は、例えば地上に設置される灯体５１と、この灯体５１の上面に装着される光源としての白熱電球５２と、該白熱電球５２の光を水平方向に対して指向性良好に照射するとともに垂直方向にも照射するためのレンズ５３と、これらのレンズ５３及び白熱電球５２を収容する青色に着色されたグローブ５４とで主に構成されている。グローブ５４が青色に着色されることで、全方向に青色の光を照射することができる。また、水平方向については、レンズ５３が白熱電球５２の周囲を囲んでいるので、指向性が良好な青色の光を照射することが可能となる。
【０００７】
ところが、上記航空標識灯５１では、光源として白熱電球が使用されているため、素子寿命が短く、また、上記のように例えば青色光を得るために白熱電球の白色光を、青色に着色したグローブを介して照射するようにしているため、発光効率が非常に悪いという不都合がある。そこで、周知のように素子寿命の短い白熱電球に代えて、長寿命でありしかも青色の発光ダイオード（以下、ＬＥＤと記載）を用いたＬＥＤ式標識灯も提案されている。
【０００８】
しかし、このような提案によるＬＥＤ式標識灯では、ＬＥＤは、高発光効率化のため素子そのものは透明樹脂レンズで構成したものを使用し、また、複数のＬＥＤ素子を配設した基板と配光を制御する反射板と透明のグローブとで構成しているが、高効率化のための透明レンズＬＥＤ及び透明グローブを使用しているため、消灯時には発色しない。このため、消灯時には従来のように青色グローブ５４による色別灯火の識別ができないという欠点があり、また、単純に青色グローブを用いると、ＬＥＤ発光色も青色なので発光効率に悪影響を及ぼすこともあるという欠点もあった。
【０００９】
一方、図１３（Ｂ）に示すような一方向あるいは２方向タイプの航空標識灯６０は、例えば色フィルタ６５の色に対応した光を水平方向に照射することにより、滑走路等の誘導灯としての役割を果たすようになっている。
【００１０】
該航空標識灯６０は、例えば地上に設置される灯体６１と、この灯体６１の上面に装着される光源としての白熱電球６２と、該白熱電球６２の光を集光して照射する反射鏡６３と、該反射鏡６３の反射光を透過して対応する色の光を照射する色フィルタ６５と、該色フィルタ６５の表面部を防護する防護ガラス６６と、これらの光学系部材を収容するためのユニット６４とで主に構成されている。反射鏡６３，色フィルタ６５を用いることで、水平方向における照射色光の指向性が良好となる。例えば滑走路の進入灯とする赤光色の航空標識灯においては、赤色フィルタを介して赤色発光するようにして構成されており、赤色の照射光の指向性も良好である。また、このような航空標識灯６４を背後に対向配置して構成することにより、２方向のタイプの航空標識灯と成す。
【００１１】
ところが、上述したように光源の素子寿命の長寿化を考慮すると、やはりこの種のタイプの航空標識灯６０においても、ＬＥＤの採用が望ましい。また、例えば赤色ＬＥＤの複数を用いて標識灯を構成することで、光源の長寿命化は勿論、赤色フィルター不要等の利点も得られることになる。
【００１２】
通常、航空標識灯では、夜間や薄暮又は雨天、霧天時などの視認外部条件によって灯火の明るさを加減（階調）制御する必要がある。この明るさの階調信号は、従来の白熱電球の負荷に対応した位相制御の段階状の定電流ラインパワーとして与えられようになっている。したがって、単に光源を白熱電球からＬＥＤ表示素子に代えたとしても、ＬＥＤ式の標識灯では、図１４の階調電流に応じた発光出力の特性図に示すように、光源素子の階調特性が異なるため、この信号をそのままＬＥＤ式標識灯６０に適用することは不可能である。つまり、図１４に示すようにＬＥＤを用いた場合には、同じ階調電流にも関わらず、白熱電球よりも明るくなり、必要以上の発光強度となるため、操縦者にまぶしく煩わしくなり、標識灯としては不適であるという不都合もある。
【００１３】
また、ＬＥＤは、温度変化により発光出力も変化する特性をもっており、例えば赤色ＬＥＤは、図１５に示すような温度特性を有している。つまり、温度が上昇すれば発光出力が低下するような特性である。また、このような航空標識灯は、上述したように明るさを加減（階調）制御する必要があるが、一定の規定された明るさを維持する必要もある。さらに、航空標識灯では屋外で用いるため、灯器内の電気回路は密閉構造内に構成されることと、またメンテナンスの時間が夜間の空港閉鎖時間などに限定されることから使用部品は信頼性の高いものが要求され、灯火の発熱による冷却のファン等は用いられず、自然冷却構造である必要がある。
【００１４】
以上のような理由から、単純にＬＥＤを用いた標識灯においては点灯時の発熱によって温度が上昇し、また強制冷却も困難なことから発光出力の一定規定値に維持することが困難となる欠点もあった。
【００１５】
また、従来例としての点滅タイプの航空標識灯では、図１３（ｃ）に示すように、例えば地上に設置される灯体７１と、この灯体７１の上面に装着された例えば２つの白熱電球７３ａ，７３ｂと、これらの光源７３ａ，７３ｂからの光を集光してそれぞれ照射する反射鏡７４ａ，７４ｂと、これらの反射鏡７４ａ，７４ｂの反射光を透過して対応する色の光をそれぞれ照射する色フィルタ７５ａ，７５ｂとで主に構成されている。これらの反射鏡７４ａ，７４ｂ，色フィルタ７５ａ，７５ｂを用いることで、水平方向における照射色光の指向性が良好となり、また図示しない調光制御部からの点滅信号が供給されることで、これら２つの光源部７２Ａ，７２ｂは、点滅発光するようになっている。
【００１６】
ところが、上述したように光源の素子寿命の長寿化を考慮して、この種のタイプの滑走路警戒灯７０（ＲＧＬ灯火ともいう）においても、ＬＥＤの採用が望まれており、また、上述したように１対の灯火を交互に点滅させることが必要であり、さらに夜間や薄暮又は雨天・霧天時などの視認外部条件によって灯火の明るさを加減（階調）制御させる必要がある。しかしながら、、ＬＥＤの明るさを加減するにはＬＥＤ電流の波高値を変えてやる制御方法が考えられるが、この制御方法では、定電流回路を用いることになり、ＬＥＤの限流回路としての抵抗回路に比べて高価となり、特に灯火光源としてＬＥＤ素子を複数用いて構成した場合には、高コストとなってしまうという問題点もあった。
【００１７】
【発明が解決しようとする課題】
上記の如く、従来の航空標識灯では、光源の長寿命化に鑑み従来の白熱電球に代えて長寿命のＬＥＤの使用が考えられるが、このＬＥＤを使用すると、例えば青色グローブを用いて青色光を照射する全方向タイプでは、発光効率に悪影響を及ぼしてしまい、また、一方向又は２方向タイプでは、階調電流に応じて最適な発光出力が得られず、またＬＥＤの温度変化に応じて発光効率が変化してしまい、さらに点滅灯火可能なタイプのものでは、最適な点滅灯火とするには高価な発光回路が必要なり高コストとなってしまうといった様々な問題点があった。
【００１８】
そこで、本発明は上記問題点に鑑みてなされたもので、ＬＥＤを用いて構成することにより、光源の長寿命化及び発光効率を向上させることができるとともに、低コストで最適な発光制御を行うことのできる航空標識灯の提供を目的とする。
【００１９】
【課題を解決するための手段】
請求項１記載の発明の航空標識灯は、灯体と；この灯体に配置され、発光ダイオード素子からなる光源と；前記発光ダイオードの明るさを外部より操作される位相制御によって階調毎に変化させる階調制御が可能なもので、接続された定電流電源ラインに流れる階調電流を取り込み、該階調電流から定電圧源を発生させて得た電流によって前記発光ダイオードを発光させるとともに、外部の操作により位相制御で可変される電流を検出し、検出結果に基づき前記発光ダイオードの発光階調信号に変換し、該発光階調信号に基づき前記発光ダイオードによる発光を階調毎に駆動制御する駆動回路部と；を具備したことを特徴とする。
【００２３】
請求項２記載の発明の航空標識灯は、請求項１に記載の航空標識灯において、前記駆動回路部は、前記定電流電源ラインに流れる階調電流を元に前記発光ダイオードに付勢する定電圧を生成する定電圧回路と；該定電圧回路により生成された定電圧に基づき得られた発光ダイオード電流によって前記発光ダイオードを発光させるＬＥＤ駆動回路と；前記定電流電源ラインに流れる階調電流を取り込み、外部の操作により位相制御で可変される前記階調電流を検出し、検出結果を出力する電流検出回路と；前記電流検出回路からの検出結果に基づき、前記位相制御による階調に応じた前記発光ダイオードの発光階調信号に変換し、該発光階調信号に基づき前記ＬＥＤ駆動回路による発光ダイオードの発光を駆動制御する階調変換回路と；を具備して構成されたことを特徴とする。
【００２４】
請求項３記載の発明の航空標識灯は、請求項２に記載の航空標識灯において、前記階調変換回路は、発光ダイオード電流の波高値に対応した前記発光階調信号を出力するもので、前記ＬＥＤ駆動回路は、可変抵抗を備え、該発光階調信号に基づき可変抵抗による抵抗値を変化させることにより、前記発光ダイオードの発光を階調制御することを特徴とする。
【００２５】
請求項４記載の発明の航空標識灯は、請求項２に記載の航空標識灯において、前記階調変換回路は、前記発光階調信号として前記発光ダイオードの点滅の比率変調とするパルス幅制御信号を出力するもので、前記ＬＥＤ駆動回路は、前記発光ダイオード電流の供給を時間的にオン・オフするスイッチング素子を備え、前記パルス幅信号に基づき該スイッチング手段によるオン・オフ時間を制御することにより、前記発光ダイオードの発光を階調制御することを特徴とする。
【００２６】
請求項１乃至請求項４の発明によれば、パルス幅発光制御と発光ダイオード電流波高値制御とのどちらか一方の制御が可能な駆動回路部を設けたことによって、従来通りの標識灯用定電流電源に接続し、且つ灯火の階調制御を行うことが可能となり、長寿命で且つ発光効率の高いＬＥＤ式航空標識灯を提供することが可能となる。また、ＬＥＤ式標識灯の設置に伴い、新たに配線工事等もする必要がないので、全体的なコストを低減することも可能となる。
【００２７】
請求項５記載の発明の航空標識灯は、請求項１に記載の航空標識灯において、前記駆動回路部は、前記定電流電源ラインに流れる階調電流を元に前記発光ダイオードに付勢する定電圧を生成する定電圧回路と；該定電圧回路により生成された定電圧に基づき得られた発光ダイオード電流によって前記発光ダイオードを発光させるＬＥＤ駆動回路と；前記定電流電源ラインに流れる階調電流を取り込み、外部の操作により位相制御で可変される前記階調電流を検出し、検出結果を出力する電流検出回路と；前記電流検出回路からの検出結果に基づき、前記位相制御による階調に応じた前記発光ダイオードの発光階調信号に変換し、該発光階調信号に基づき前記ＬＥＤ駆動回路による発光ダイオードの発光を駆動制御する階調変換回路と；前記発光ダイオードの温度または周囲温度を検出する温度検出回路と；前記該温度検出手段からの検出結果に基づき所定の発光出力を得るための補正信号を作成し、該補正信号に応じて前記ＬＥＤ駆動回路による発光ダイオード電流を変化させる補正回路と；を具備して構成されたことを特徴とする。
【００２８】
請求項６記載の発明の航空標識灯は、請求項５に記載の航空標識灯において、前記階調変換回路は、前記発光階調信号として前記発光ダイオードの点滅の比率変調とするパルス幅制御信号を出力するもので、前記ＬＥＤ駆動回路は、前記発光ダイオード電流の供給を時間的にオン・オフするスイッチング素子及び可変抵抗を備え、前記パルス幅信号に基づき該スイッチング手段によるオン・オフ時間を制御すると同時に、前記補正回路からの補正信号に応じて前記可変抵抗の抵抗値を変化させることにより、前記発光ダイオードの発光の階調制御及び温度の変化に伴う発光補正制御することを特徴とする。
【００２９】
請求項７記載の発明の航空標識灯は、請求項５に記載の航空標識灯において、前記温度検出回路は、前記複数の発光ダイオードを整列させるための整列板が設けられた場合には、該整列板の温度を検出し、検出結果を出力することを特徴とする。
【００３０】
請求項５乃至請求項請求項７の発明によれば、前記発光ダイオードの温度または周囲温度を検出する温度検出回路、前記該温度検出手段からの検出結果に基づき所定の発光出力を得るための補正信号を作成し、該補正信号に応じて前記ＬＥＤ駆動回路による発光ダイオード電流を変化させる補正回路とを設けることによって、発光ダイオードの温度変化に伴い変化する発光効率を一定に発光制御することが可能となり、また、その発光を階調に応じて階調制御することも可能となる。その他の動作及び効果は、上記請求項３乃至請求項６の発明と同様である。
【００３１】
請求項８記載の発明の航空標識灯は、請求項１に記載の航空標識灯において、前記光源が少なくとも２つの点滅制御可能な光源で構成された場合には、前記駆動回路部は、前記発光階調信号としての前記発光ダイオードの点滅の比率変調とするパルス幅制御信号と、前記少なくとも２つの光源を点滅制御するための点滅信号との論理積をとり、該論理積に基づき、各光源毎に発光ダイオード群が抵抗を介して直列に接続して成る直列回路の電流供給をオン・オフするスイッチング素子のオン・オフ時間を制御することにより、前記発光ダイオードによる発光の階調制御及び点滅発光制御することを特徴とする。
【００３２】
請求項９記載の発明の航空標識灯は、請求項８に記載の航空標識灯において、前記少なくとも２つの光源は、黄色の光を発光する黄色発光ダイオードを用いてそれぞれ構成されたものであることを特徴とする。
【００３３】
請求項８及び請求項９の発明によれば、発光ダイオード群で構成された光源を少なくとも２つ設けて点滅タイプ航空標識灯を構成した場合でも、上記発明と同様に従来通りの標識灯用定電流電源に接続し、且つ灯火の階調制御及び点滅発光制御を行うことが可能となり、長寿命で且つ発光効率の高いＬＥＤ式航空標識灯を提供することが可能となる。さらに、駆動回路部は簡単な直列回路構成となっていることから、高価な定電流回路を設けずとも上記の如く階調制御及び点滅制御が可能であり、よってコスト低減にも大きく寄与する。
【００３４】
【発明の実施の形態】
発明の実施の形態について図面を参照して説明する。
図１乃至図３は本発明に係る航空標識灯の第１の実施の形態を示し、図１は光源としてＬＥＤ表示素子を用いて構成された地上型の航空標識灯の一例を示す構成図、図２は図１の航空標識灯の上面図、図３は図２の航空標識灯のＡーＡ´線断面図である。
【００３５】
本実施の形態では、光源として長寿命の複数のＬＥＤを用いるとともに、これらのＬＥＤの発した光を反射する、例えば青色に着色された反射鏡を所定の位置に介在させるように設けて構成することにより、仮に消灯時でも、発色作用が得られることで、従来、消灯時における航空標識灯の色の識別が不可能であった課題を解決するようにしている。
【００３６】
図１に示すように、本実施の形態の全方向タイプの航空標識灯１は、滑走路等の誘導灯として用いられており、例えば青い色を全方向に照射することにより、誘導路灯としての役割を果たすようになっている。
【００３７】
具体的な構成としては、上記航空標識灯１は、例えば地上に設置される灯体２と、この灯体２の上面に装着され、複数のＬＥＤ３ａ，基板３ｂ，及び着色反射板３ｃを含んで構成された光源部３と、この光源部３を収容するとともに、前記灯体２に上面に取り付けられる外周カバーとしてのグローブ４とで主に構成されている。
【００３８】
光源部３において、複数のＬＥＤ３ａは、例えば青色の光を発光するもので、図２に示すように基板３ｂ上に中心（基板との中心）を介して複数並設され、基板上のパターン、接続コード及び主の配線コード（パワーラインともいう）を介して図示しない管制塔や調光制御室等に接続されるようになっている。これにより、図示しない管制塔や調光制御室等から階調信号が供給されることにより、複数のＬＥＤ３ａの青色発光が制御される。なお、これらのＬＥＤ３ａのそのものは、高発光効率可能な透明樹脂レンズで構成されたものである。
【００３９】
一方、前記着色反射板３ｃは、例えば図３に示すように円筒形状の両面反射部材が扇状に広って形成されたもので、下部の開口部が小さく、上部の開口部が広くなるように形成されたものである。また、該着色反射板３ｃは、図３に示すように上面（内面）Ａが、例えば青色の着色されるように構成している。また、この場合、着色反射板３ｃの下面Ｂについては、図３に示すように水平方向における光の反射性能及び指向性を向上させるために、着色はなされていない。必要であれば、下面Ｂを所定の色に着色するように構成しても良い。
【００４０】
このような構成の着色反射板３ｃは、図３に示すように、基板３ｂ上の所定数のＬＥＤ３ａを包囲するように該基板上３ｂに装着されるようになっている。
【００４１】
また、前記グローブ４は、従来とは異なり、例えば着色されていない透明ガラス部材で形成されたもので、ＬＥＤ３ａの発色光や上記着色反射板３ｃによる反射光を全方向に透過して照射する。また、該航空標識灯１を外部からの損傷を防止する役割も有している。
【００４２】
このような構成により、包囲された所定数のＬＥＤ３ａからの発色光が直接光、及び該着色反射板３ｃの上面Ａによって反射され、扇状に上方向へと照射するとともに、同時に、該着色反射板３ｃによって包囲されない他の複数のＬＥＤ３ａからの発色光は、該着色反射板３ｃの下面Ｂによって反射されることで、水平方向にしかも指向性が良好に照射することが可能となる。
【００４３】
本実施の形態においては、上記着色反射板３ｃの上面Ａ全体が例えば青色に着色されているので、該航空標識灯１が消灯時の場合でも、外光（例えば太陽光）が当たれば発色することになるので、灯火の識別が可能である。
【００４４】
したがって、従来の航空標識灯（図１３（ａ）参照）と比較すると、光源として指向性が高いＬＥＤを用いているので、発光効率も高く、また指向性等の発光性能も向上させることができ、しかも光源の長寿命化も図ることが可能となる。さらに、消灯時でも、外光がその着色反射板３ｃに反射することによって発色できるので、航空標識灯自体の認識も可能となり、また、従来技術のように白熱電球からの所定の青色を得るための濃色に着色したグローブを用い、発光効率が低いものから透明又は淡青色のガラス部材のグローブに代えて構成しているので発光効率の高いものを実施、提供することもできる。
【００４５】
尚、本実施の形態では、前記着色反射板３ｃの下面Ｂは、主要反射面のため、仮に着色しようとする場合には、青の着色反射面としてダイクロイック蒸着面となるように構成しても良い。また、基板３ｂについては、なにも言及してはいないが、その上面に同様の色を着色するように構成しても良い。また、該基板上にＬＥＤを整列させるための整列板を重ねて載設する場合には、該整列板の上面に同様の色を着色するように構成すれば良い。
【００４６】
ところで、本発明の航空標識灯は、光源を白熱電球からＬＥＤに代えて構成した場合でも、予め白熱電球用として決められた階調電流値に基づき最適な発光状態となるように補正し、制御することも可能である。このような実施の形態を図４乃至図７に示す。
【００４７】
図４乃至図７は本発明に係る航空標識灯の第２の実施の形態を示し、図４は光源としてＬＥＤを用いて構成された一方向又は２方向タイプの航空標識灯の構成例を示す側面図、図５は図４の航空標識灯に搭載された駆動回路部の具体例を示すブロック図、図６は図４の駆動回路部内のＬＥＤ駆動回路部部の回路構成例を示す回路図、図７は図５の駆動回路部によるパルス幅制御動作を説明するためのタイミングチャートである。尚、図４に示す装置は、図１と同様の構成要素については同一の符号を付して説明を省略し、異なる部分のみを説明する。
【００４８】
本実施の形態では、従来の白熱電球の負荷に対応した位相制御の段階状の階調信号が供給された場合でも、白熱電球のとき同様な発光特性が得られるようにＬＥＤの駆動（発光）を補正し制御する駆動回路部を設けたことが特徴である。
【００４９】
全体的な構成としては、一方向あるいは２方向タイプの航空標識灯１Ａは、例えば地上に設置される灯体２と、この灯体２の上面に配置され、固定台２ａ、駆動回路部５を介して基板３ｂ上の照射方向側に複数並設された光源としてのＬＥＤ３ａと、これらの構成部品収容するためのカバーユニット６と、複数のＬＥＤ３ａによる発光を透過するとともに、透過光の照射方向側に設けられ、これらの内装部材を防護する防護ガラス７とで主に構成されている。
【００５０】
したがって、発光時には、取り付けられたＬＥＤ３ａに応じて青色光あるいは赤色光が前記防護ガラス７を介して水平方向に照射されることになり、誘導灯としての役割を果たすことができるようになっている。また、このような航空標識灯１Ａを背後に対向配置して構成することにより、２方向のタイプの航空式標識灯と成す。
【００５１】
本実施の形態における航空標識灯１Ａでは、光源が白熱電球である航空標識灯用に階調信号（階調電流）が流れるパワーライン（配線ライン）に、上記構成のＬＥＤ式航空標識灯１Ａを接続した場合でも、搭載された駆動回路部５によって、白熱電球のとき同様な発光特性が得られるようにＬＥＤの駆動（発光）が補正制御するようにしている。このような駆動回路部５を図５を参照しながら詳細に説明する。
【００５２】
本実施の形態の航空標識灯１Ａは、図５に示すように従来より使用されている定電流電源１１（ＣＣＲともいう）のパワーラインＬＣに接続される。該定電流電源１１は、管制塔や調光制御室からの遠隔操作信号（階調切換信号）を取り込む入力端子１０を介して取り込んだ階調切換信号に基づき灯火の明るさを変えるところの階調タップ切替を行い、これにより得られた階調タップに応じた階調電流をパワーラインＬＣに供給する。つまり、この階調タップに応じた階調電流は、予め白熱電球用として設定されたものである。このような階調例を下記の表１に示す。
【００５３】
【表１】
0004122607.tif 000002
このような階調電流（階調タップ電流ともいう）が流れるパワーラインＬＣに接続された航空標識灯１Ａには、駆動回路部５が備えられている。したがって、前記パワーラインＬＣ１２からの階調電流は、駆動回路部５内に設けられた定電圧回路部１２及び定電流検出回路部１４に供給される。
【００５４】
定電圧回路部１２は、供給された階調電流から一定した定電圧を作成し、ＬＥＤ駆動回路部１３に供給する。ＬＥＤ駆動回路部１３は、供給された定電圧に基づきＬＥＤ３ａを発光させる。
【００５５】
一方、電流検出回路部１３は、取り込んだ階調電流からパワーラインＬＣに流れる階調電流値を検出し、検出結果を階調変換回路部１５に与える。階調変換回路部１５は、検出結果に基づき、例えば上述した図１４に示す白熱電球の発光出力曲線、つまり、上記表１に示す階調電流に応じた明るさが得られるような階調電流値を補正するための階調信号を生成し、生成した階調信号を上記ＬＥＤ駆動回路部１３に与える。
【００５６】
ＬＥＤ駆動回路部１３は、その階調信号を取り込み、ＬＥＤ駆動回路部５内の可変抵抗値を変化させることにより、ＬＥＤ３ａに流れる階調電流値自体を制御して白熱電球と同様の発光出力（表１参照）が得られるようにＬＥＤ３ａの発光制御を行う。
【００５７】
例えば、単に階調信号に基づきＬＥＤ電流を変えて発光制御する方法では、ＬＥＤ駆動回路部１３は、単純には限流抵抗で一定電流を流す回路で構成されるが、前述の灯火の明るさを変化させるために可変型定電流回路で構成されたものである。このＬＥＤ駆動回路部をさらに詳細に説明すると、図６に示すように、図中の定電流回路であるＬＥＤ駆動回路部１３は、基本的な回路構成であるが、トランジスタＱ１はそのベース回路に基準電圧源Ｖ１と抵抗Ｒ１を有し、またエミッタ回路に抵抗Ｒ２を有して構成されている。ベース回路の入力信号が“ＯＦＦ”時、すなわちＬＥＤ３ａを点灯する信号時には、
Ｖ１＝Ｉ１×Ｒ２＋ＶＢＥで示されるＬＥＤ電流Ｉ１が一定電流として流れることになる。このとき、ＶＢＥはトランジスタＱ１のベース・エミッタ間の順電圧である。また、抵抗Ｒ２は可変式のものであり、この抵抗Ｒ２による抵抗値は、上述したように前記階調変換回路部１５からの変調された階調信号に基づき決定されることにより、結果的にＬＥＤ電流Ｉ１を、図１４で示す白熱電球とＬＥＤの階調特性の違いを補正する所定の値に可変する。
【００５８】
これにより、ＬＥＤ３ａを設けて航空標識灯１Ａを構成し、白熱電球用の階調電流が流れるパワーラインＬＣに接続した場合でも、白熱電球使用時と同様の階調電流に応じた発光特性を得ることが可能となる。
【００５９】
また、本誌実施の形態では、上述したようにＬＥＤ駆動回路部１３を、前記可変型定電流回路の代りにＬＥＤをパルス幅制御方式で駆動するように構成しても良い。この場合には、例えばＬＥＤ駆動回路１３をパルス幅制御回路（ＰＷＭ）として構成する。具体的には、図６に示すトランジスタＱ１のベースにスイッチ手段としての他のトランジスタのコレクタ（図示せず）を接続し、該トランジスタのエミッタを接地するとともに、ベースには、パルス幅制御回路（図示せず）からのパルス信号を与えるように構成する。つまり、このパルス幅制御回路は、階調変換回路部１５からの階調信号に基づきパルス幅を制御し、このパルス信号を用いて前記スイッチング素子としてのトランジスタのオン時間を調整制御する。これによりＬＥＤ電流Ｉ１は時間的に点滅制御されることにより、その結果ＬＥＤ３ａの明るさを可変することになり、白熱電球使用時と同様の階調電流に応じた発光特性を得ることが可能となる。
【００６０】
次に、上記パルス幅制御方法による発光補正動作を図７を参照しながら詳細に説明する。
【００６１】
いま、図４に示すＬＥＤ３ａを用いて構成された航空標識灯１Ａを点灯させるものとする。この場合、ＬＥＤ３ａの発光特性は、上述した図１４に示すように通常は白熱電球の発光特性と比べて、直線的なものとなり、つまり、階調電流の階調（表１参照）に応じて常に高いものとなり、つまりその発光出力の差を補正する必要がある。
【００６２】
そこで、ＬＥＤ駆動回路部内のパルス幅制御回路（図示せず）は、階調変換回路部１５（図５参照）による階調信号から、ＬＥＤ３ａの発光出力がその階調電流値に応じた高い発光出力を得る必要が有る場合（高階調時）には、図７（ａ）に示すようなパルス幅が広いパルス信号を生成し、図示しないスイッチング素子のオン時間を調整する。これにより、時間的に長くＬＥＤ電流Ｉ１が点滅制御されることで、ＬＥＤ３ａは、階調電流値に応じて最適な発光出力となる。
【００６３】
一方、前記パルス幅制御回路（図示せず）は、階調変換回路部１５（図５参照）による階調信号から、ＬＥＤ３ａの発光出力がその階調電流値に応じた低い発光出力を得る必要が有る場合（低階調時）には、図７（ｂ）に示すようなパルス幅が狭いパルス信号を生成し、図示しないスイッチング素子のオン時間を調整する。これにより、時間的に短くＬＥＤ電流Ｉ１が点滅制御されることで、ＬＥＤ３ａは、階調電流値に応じて最適な発光出力となる。
【００６４】
したがって、本実施の形態によれば、上述した駆動回路部による発光制御により、従来通りの標識灯用定電流電源に接続し、且つ灯火の階調制御を行うことが可能となり、長寿命で且つ発光効率の高いＬＥＤ式航空標識灯を提供することが可能となる。また、ＬＥＤ式標識灯の設置に伴い、新たに配線工事等もする必要がないので、全体的なコストを低減することも可能である。
【００６５】
ところで、前記第２の実施の形態のようなＬＥＤ式航空標識灯では、ＬＥＤの温度が変化した場合には、この温度変化に応じて発光出力が変化してしまい、一定した発光出力が得られないことは、従来技術でも説明した通りである。
【００６６】
そこで、本発明では、ＬＥＤの温度が変化した場合でも、この温度変化に応じて発光出力を補正し、常に安定した一定発光出力を得ることも可能である。このような実施の形態を図８及び図９に示す。
【００６７】
図８及び図９は本発明に係る航空標識灯の第３の実施の形態を示し、図８は一方向又は２方向タイプのＬＥＤ式航空標識灯に搭載された駆動回路部の具体例を示す回路構成図、図９は図８の駆動回路部によるＬＥＤ電流の波高値制御動作及びパルス幅制御動作を説明するためのタイミングチャートである。尚、図８に示す回路は、図５あるいは図６に示す回路と同様の構成要素については同一の符号を付して説明を省略し、異なる部分のみを説明する。
【００６８】
本実施の形態では、ＬＥＤの温度による発光出力の補償制御を行うもので、前記実施の形態にて説明した本質的な視覚条件に対応する標識灯の明るさ制御の階調制御（例えばパルス幅制御）と、温度補償制御としてＬＥＤ電流の波高値制御とをそれぞれ実施することにより、ＬＥＤの温度が変化した場合でも、安定した発光出力が得られるように構成したことが前記実施の形態と異なる点である。
【００６９】
ＬＥＤ式航空標識灯の全体の概略構成としては、前記第２の実施の形態における航空標識灯１Ａ（図４参照）と同様である。
【００７０】
また、本実施の形態のＬＥＤ式航空標識灯には、図示はしないが図５に示す駆動回路部５（図５参照）が設けられており、また図８に示すように該駆動回路部５内のＬＥＤ駆動回路部１３内には、前記第２の実施の形態と同様にＬＥＤを駆動するための定電流回路及び標識灯の灯火の明るさを外部からの階調制御信号を受け、パルス幅制御に変換するパルス幅制御部２０（ＰＷＭ）が設けられている。定電流回路及びパルス幅制御部２０の動作については、前記第２の実施の形態と略同様である。
【００７１】
本実施の形態における特徴となる点は、図８に示すように上記定電流回路、パルス幅制御部２０及びスイッチング素子（トランジスタＱ２）を設けた他に、ＬＥＤに生じた温度を検出する温度検出回路部２１と補償回路部２２を設けてＬＥＤ駆動回路部を構成したことが特徴である。
【００７２】
つまり、温度検出回路部２１は、ＬＥＤに生じた温度を検出し、検出結果を補償回路部２２に与える。補償回路部２２は、供給された検出結果に基づき、ＬＥＤの発光出力が、例えば図１５に示す特性とは異なりある一定した所定レベルの発光出力となるように補正するための補正信号（抵抗値）を決定し、これを図８に示す可変抵抗Ｒ２に与える。これにより、可変抵抗Ｒ２の抵抗値を変化させることにより、ＬＥＤに流れるＬＥＤ電流Ｉ１を変化させ、最適なＬＥＤの発光出力が得られるように制御する。
【００７３】
さらに詳細に構成を説明すると、例えば、図８に示すパルス幅制御部２０に接続された入力端子１０には、図５中に示す階調変換回路部１５からの階調信号が供給されるようになっているが、このときの階調制御信号は、前記第２の実施の形態にて説明したように具体的には電源のタップ（切替）信号として上記表１に示すように規定されているものである。
【００７４】
また、このような階調信号に基づきパルス幅制御するための回路構成としては、図８に示すように、定電流回路のトランジスタＱ１のベースにスイッチ手段としてのトランジスタＱ２のコレクタ（図示せず）を接続し、該トランジスタＱ２のエミッタを可変抵抗Ｒ２の他端に接続するとともに、ベースには、パルス幅制御回路（図示せず）からのパルス信号を与えるように構成する。
【００７５】
一方、定電流回路においては、トランジスタＱ１はそのベース回路に基準電圧源Ｖ１と抵抗Ｒ１とが接続され、またエミッタ回路には抵抗Ｒ２が接続される。
したがって、動作時には、前述のパルス幅制御信号によって駆動されるトランジスタＱ２を介して点滅制御され、点灯時にはＶ１＝Ｉ１×Ｒ２＋ＶＢＥで規定されるＬＥＤ電流Ｉ１が一定電流として流れる。尚、ＶＢＥはトランジスタＱ１のベース・エミッタ順電圧値である。
【００７６】
このとき、抵抗Ｒ２は上述したように可変式のもので、ＬＥＤの温度を温度検出回路部２１によって検出され、その後補償回路部２２によってＬＥＤの温度（検出温度）に対応してＬＥＤ電流Ｉ１を増減する補正量分としての抵抗値が供給されることで、抵抗値を変化させる。
【００７７】
次に、本実施の特徴となる動作を図９を参照しながら詳細に説明する。
【００７８】
いま、図４に示すＬＥＤ３ａを用いて構成された航空標識灯１Ａを点灯させるものとする。この場合、ＬＥＤ３ａの発光特性は、上述した図１５に示すように温度が高くなるにつれてその発光出力が劣化してしまう。したがって、温度の高低に関わらず、常に安定した一定の発光出力を得るための発光補正する必要がある。
【００７９】
この場合、駆動回路部５は、白熱電球用の標識灯用定電流電源の接続に伴い、階調電流に応じた最適な発光出力が得られるように、前記第２の実施の形態と同様にパルス幅制御する。詳細については、前記第２の実施の形態に説明したので省略する。
【００８０】
同時に、駆動回路部５は温度補償制御としてＬＥＤ電流の波高値制御を行う。この場合、駆動回路部５内のＬＥＤ駆動回路部では、温度検出回路部２１によってＬＥＤの温度が検出され、この検出結果を取り込む補償回路部２２は、例えば該検出結果からＬＥＤ３ａの温度が低く発光出力をさほど補正する必要がない場合（低温度時：図１５参照）には、ＬＥＤ電流をさほど変化させないような補正信号（抵抗値）を決定し、可変抵抗Ｒ２の抵抗値を制御して、ＬＥＤ電流の波高値を決定する。つまり、図９（ａ）に示すようなパルスの高さとなるパルス信号に基づき、スイッチング素子のオン時間及びＬＥＤ電流を調整する。これにより、ＬＥＤの点滅制御とともにＬＥＤの流れる電流値を調整することが可能となり、最適な発光出力を得ることが可能となる。勿論、ＬＥＤ電流の波高値制御は、高階調時及び低階調時にも、図９（ａ）に示すように実施される。
【００８１】
一方、補償回路部２２は、例えば温度検出回路部２１の検出結果からＬＥＤ３ａの温度が高く発光出力が高くなるように補正する必要がある場合（高温度時：図１５参照）には、ＬＥＤ電流を大きく変化させるような補正信号（抵抗値）を決定し、可変抵抗Ｒ２の抵抗値を制御して、ＬＥＤ電流の波高値を決定する。つまり、図９（ｂ）に示すようなパルスの高さとなるパルス信号に基づき、スイッチング素子のオン時間及びＬＥＤ電流を調整する。これにより、ＬＥＤの点滅制御とともにＬＥＤの流れる電流値を調整することが可能となり、高温温度の場合でも、最適な発光出力を得ることが可能となる。勿論、高温度時の場合でもＬＥＤ電流の波高値制御は、高階調時及び低階調時にも、図９（ｂ）に示すように実施される。
【００８２】
したがって、本実施の形態によれば、前記第２の実施の形態と同様の動作、効果する他に、上述した駆動回路部によるＬＥＤ電流の波高値制御を併用して実施することにより、ＬＥＤの温度変化に伴い変化する発光出力を常に安定した規定の所定レベルの発光出力となるように補正制御することが可能となる。よって、様々な気象条件下においても、発光出力が変化しない優れた発光特性を有する航
空標識等を提供することができる。
【００８３】
尚、本実施の形態においては、ＬＥＤの温度を検出する方法として、標識灯内に密閉的にＬＥＤ基板が収納されることから、例えばその灯器内の空間温度を検出するように構成しても良く、また温度検出精度をより向上させるために、複数のＬＥＤ素子を整列させるために設ける整列板をアルミ材等の熱伝導の良い材質で構成し、放熱効果をもたせるとともに、ＬＥＤの温度を検出する方法として、例えばこの整列板自体の温度や放熱効果作用により得られた灯器内温度を検出するようにしても良い。
【００８４】
ところで、本発明では、航空標識灯が点滅タイプで有る場合にも前記第２及び第３の実施の形態のようにＬＥＤの発光制御を行うことが可能である。しかしながら、前記第２及び第３の実施の形態のように灯火の明るさを階調制御する波高値制御では、上述したように定電流回路が必須の構成要素であるため、通常使用されるＬＥＤの限流回路としての抵抗回路に比べて高価となってしまう。このような不都合を改善した実施形態を図１０乃至図１２に示す。
【００８５】
図１０乃至図１２は本発明に係る航空標識灯の第４の実施の形態を示し、図１０は光源としてＬＥＤを用いて構成された点滅タイプの航空標識灯の構成例を示す正面図、図１１は図１０の航空標識灯に搭載された駆動回路部の具体例を示す回路構成図、図１２は図１１の駆動回路部によるパルス幅制御動作及び点滅発光制御動作を説明するためのタイミングチャートである。尚、図１０に示す装置及び図１１に示す回路群は、図４及び図８と同様の構成要素については同一の符号を付して説明を省略し、異なる部分のみを説明する。
【００８６】
本実施の形態では、高価となる定電流回路（図８参照）に代えて安価の抵抗で構成される限流回路を設けるとともに、入力される点滅信号とパルス幅制御部（図８参照）からの階調信号との論理積を出力するＡＮＤ回路と、該ＡＮＤ回路の出力信号に基づき限流回路内に接続されたＬＥＤに与えるＬＥＤ電流を時間的にスイッチングするスイッチング素子Ｑとを設けることにより、パルス幅制御及び点滅発光制御を行い、階調制御を可能にすることで、コストの低減化を図るように構成したことが前記実施の形態と異なる点である。
【００８７】
全体的な構成としては、点滅タイプの航空標識灯１Ｂ（滑走路警戒灯：ＲＧＬ灯火）は、図１０に示すように、例えば地上に設置される灯体２と、この灯体２の上部に装着された例えば２つのＬＥＤ群３ａ，３ｂと、これらのＬＥＤ群３ａ，３ｂが装着されＬＥＤ群３ａ，３ｂからの光を集光してそれぞれ照射する反射鏡を含んで構成されたＬＥＤ基板３Ａ，３Ｂとで主に構成されている。尚、発光色を代える場合には、前記ＬＥＤ基板３Ａ，３Ｂ上に反射鏡の反射光を透過して対応する色の光をそれぞれ照射する色フィルタを設けて構成しても良い。
【００８８】
したがって、これらの反射鏡７４ａ，７４ｂ等を用いることで、水平方向における照射色光の指向性が良好となり、また図示しない調光制御部からの点滅信号が供給されることで、これら２つの光源としてのＬＥＤ群３ａ，３ｂは、点滅発光するようになっている。尚、上記ＬＥＤ群３ａ，３ｂとしては、黄色の光を発光する黄色ＬＥＤを用いることにより、滑走路警戒灯としての役割を果たす。
【００８９】
本実施の形態では、図１０に示す灯体２内にこれらのＬＥＤ群３ａ，３ｂの発光の階調制御及び点滅発光制御を行うための駆動回路部５Ａが設けられている。この駆動回路部５Ａは、前記実施の形態と同様にＲＧＬ灯火を視認外部条件によって明るさを上記表１に示す階調パターンで発光制御する。
【００９０】
具体的には、駆動回路部５Ａにおいては、例えば図１１に示すように入力端子１０を介して階調信号が取り込まれ、また入力端子３０を介して点滅信号が取り込まれるようになっており、階調信号については、前記第２の実施の形態と同様にパルス幅制御を行うパルス幅制御部２０に供給、点滅信号については、ＡＮＤ回路に供給する。パルス幅制御部２０からの出力もＡＮＤ回路に供給する。
【００９１】
ＡＮＤ回路は、これらの入力信号の論理積をとり、つまり、点滅信号のタイミングに基づく階調パルス信号をスイッチング素子Ｑのベースに供給する。
【００９２】
一方、どちらか一方のＬＥＤ群３ａ，３ｂを接続した限流回路では、ＬＥＤ素子の複数ＬＥＤ１〜ＬＥＤｎを１つの直列回路とし、一端は限流素子の抵抗Ｒを介して電源Ｖｐに接続される。またこの直列回路の他端は他のＬＥＤ直列回路群と共通接続され、さらにスイッチ素子のトランジスタＱのコレクタに接続される。
【００９３】
このような構成より、簡単な回路構成でパルス幅制御及び点滅発光制御が可能となる。
【００９４】
次に、本実施の特徴となる動作を図１２を参照しながら詳細に説明する。
【００９５】
いま、図１０に示す航空標識灯１Ｂ（ＲＧＬ灯火）を点灯させるものとする。すると、図１１に示す駆動回路部５Ａは、前記第２の実施の形態と同様に階調パターンに基づくパルス幅制御を行う。つまり、パルス幅制御部２０は、高階調時とする必要が有る場合にはパルス幅の広いパルス信号を、低階調時とする必要が有る場合にはパルス幅の狭いパルス信号をＡＮＤ回路に与える。
【００９６】
その後ＡＮＤ回路によってこの出力パルスと点滅信号との論理積が出力されることで、スイッチング素子のトランジスタＱには、図１２（ａ）または図１２（ｂ）に示すような点滅信号のＯＮ時に階調信号に応じたパルス幅制御信号が供給されることになる。
【００９７】
すると、該トランジスタＱは、供給されたパルス幅制御信号で高速点滅駆動し、結果として点滅する際の点灯時についても灯火の明るさが階調に応じて制御されるとともに、他方のＬＥＤ群についても同様に階調制御される。
【００９８】
また、点滅信号のオンオフに基づき上記２つのＬＥＤ群は点滅発光制御されることになる。
【００９９】
したがって、本実施の形態によれば、上述のように灯火の明るさを制御するものとして階調信号に応じたパルス幅制御信号を用いて階調制御及び点滅発光制御することにより、点滅のスイッチ素子の兼用化ができ、またＬＥＤ電流の限流を抵抗素子で構成することができることで、より安価な標識灯を提供できる。
【０１００】
尚、本発明は上記第１乃至第４の実施の形態に限定されるものもではなく、例えば各実施の形態における特徴的な構造や発光制御方法を組み合わせて構成しても良く、効果が得られることは明らかである。
【０１０１】
【発明の効果】
以上、述べたように本発明によれば、ＬＥＤを光源として用いることにより、光源の長寿命化及び発光効率を向上させることができるとともに、低コストで最適な発光制御を行うことのできる航空標識灯を提供することが可能となる。
【図面の簡単な説明】
【図１】本発明の航空標識灯の第１の実施の形態を示し、全方向タイプの標識灯の構成例を示す一部破断した構成図。
【図２】図１の航空標識灯の平面図。
【図３】図２の航空標識灯のＡーＡ´線断面図。
【図４】本発明の航空標識灯の第２の実施の形態を示し、一方向又は２方向タイプの標識灯の構成例を示す側面図。
【図５】図４の標識灯に搭載された駆動回路部の具体例を示すブロック図。
【図６】図４の駆動回路部内の定電流回路であるＬＥＤ駆動回路部の回路構成例を示す回路図。
【図７】図５の駆動回路部によるパルス幅制御動作を説明するためのタイミングチャート。
【図８】本発明の航空標識灯の第３の実施の形態を示し、該標識灯に搭載された駆動回路部の具体例を示すブロック図。
【図９】図８の駆動回路部による温度変化に応じたパルス幅制御動作を説明するためのタイミングチャート。
【図１０】本発明の航空標識灯の第４の実施の形態を示し、点滅タイプの標識灯の構成例を示す正面図。
【図１１】図１０の標識灯に搭載された駆動回路部の具体例を示すブロック図。
【図１２】図８の駆動回路部による点滅調光制御及びパルス幅制御動作を説明するためのタイミングチャート。
【図１３】従来の光源に白熱電球を用いて構成された航空標識灯の一例を示す構成図。
【図１４】白熱電球とＬＥＤ表示素子との階調電流に応じた発光特性の違いを示す特性図。
【図１５】ＬＥＤ表示素子の温度高低に応じた発光特性を示す特性図。
【符号の説明】
１…航空標識灯、
２…灯体、
３…光源部、
３ａ…発光ダイオード（ＬＥＤ）、
３ｂ…基板、
３ｃ…着色反射板。
【図１】
0004122607.tif 000003
【図２】
0004122607.tif 000004
【図３】
0004122607.tif 000005
【図４】
0004122607.tif 000006
【図５】
0004122607.tif 000007
【図６】
0004122607.tif 000008
【図７】
0004122607.tif 000009
【図８】
0004122607.tif 000010
【図９】
0004122607.tif 000011
【図１０】
0004122607.tif 000012
【図１１】
0004122607.tif 000013
【図１２】
0004122607.tif 000014
【図１３】
0004122607.tif 000015
【図１４】
0004122607.tif 000016
【図１５】
0004122607.tif 000017